(57)【要約】【課題】作業中のワッシャの落下を抑制できるドライバ用装備具、及びドライバを提供すること。【解決手段】ドライバ２０１が、グリップと、そのグリップから延在する軸部２１２とを含み、軸部２１２の先端側にねじを回すねじ回し部２１２ａを有するドライバ本体２１０と、軸部２１２に対して軸部２１２の軸方向に相対移動可能であり、ドライバ本体２１０の軸方向のねじ回し部２１２ａ側の外方から見たときに、ねじ回し部２１２ａを取り囲むように配置される環状の先端部を有する外側部材と、を備えるようにする。そして、当該先端部の少なくとも一部が磁力を有するようにする。【選択図】図９
2018149623.tif 000002
【特許請求の範囲】
【請求項１】
グリップと、そのグリップから延在する軸部とを含み、前記軸部の先端側にねじを回すねじ回し部を有するドライバに装備されるドライバ用装備具であって、
前記軸部に取り付けられる環状の内側部材と、
前記内側部材の外周側を前記軸部に対してその軸方向に相対移動可能であり、前記グリップ側とは反対側の先端部に磁力を有する環状の外側部材と、
を備えるドライバ用装備具。
【請求項２】
請求項１に記載のドライバ用装備具において、
前記外側部材を、前記内側部材に対して前記グリップ側とは反対側に付勢する付勢部材を備える、ドライバ用装備具。
【請求項３】
請求項１又は２に記載のドライバ用装備具において、
前記外側部材が、
前記内側部材の外周側を前記軸部に対してその軸方向に相対移動可能であり、前記グリップ側とは反対側の先端部に環状の磁石取付面を有する環状の磁石取付部と、
前記磁石取付面の少なくとも一部に取り付けられた磁石と、
を含む、ドライバ用装備具。
【請求項４】
請求項３に記載のドライバ用装備具において、
前記内側部材及び前記磁石取付部の夫々は、周方向に伸縮可能である、ドライバ用装備具。
【請求項５】
請求項４に記載のドライバ用装備具において、
前記内側部材及び前記磁石取付部の夫々は、伸縮不可能な１以上の伸縮不可能部と、伸縮可能な１以上の伸縮部を含み、前記内側部材及び前記磁石取付部の夫々において、前記伸縮不可能部と、前記伸縮部は、前記周方向に交互に配置される、ドライバ用装備具。
【請求項６】
請求項３乃至５のいずれか１つに記載のドライバ用装備具において、
前記磁石取付部は、前記ドライバに取り付けられた際に前記ねじ回し部を視認可能にする透明部分を含む、ドライバ用装備具。
【請求項７】
請求項３乃至６のいずれか１つに記載のドライバ用装備具において、
前記内側部材において外部に露出する露出面の全てと、前記磁石取付部において外部に露出する露出面の全てが絶縁材料で構成される、ドライバ用装備具。
【請求項８】
グリップと、そのグリップから延在する軸部とを含み、前記軸部の先端側にねじを回すねじ回し部を有するドライバ本体と、
前記軸部に取り付けられた請求項１乃至６のいずれか１つに記載のドライバ用装備具と、を備える、ドライバ。
【請求項９】
請求項８に記載のドライバにおいて、
前記軸部は、大径部と、その大径部よりも前記ねじ回し部側に位置して前記大径部よりも小径の小径部とを含み、
前記ドライバ用装備具は、前記小径部に取り付けられる、ドライバ。
【請求項１０】
グリップと、そのグリップから延在する軸部とを含み、前記軸部の先端側にねじを回すねじ回し部を有するドライバ本体と、
前記軸部に対してその軸部の軸方向に相対移動可能であり、前記ドライバ本体の前記軸方向のねじ回し部側の外方から見たときに、前記ねじ回し部を取り囲むように配置される環状の先端部を有する外側部材と、を備え、
前記先端部の少なくとも一部が磁力を有する、ドライバ。
【請求項１１】
グリップと、そのグリップから延在する軸部とを含み、前記軸部の先端側にねじを回すねじ回し部を有するドライバ本体と、
前記軸部の外周側に前記軸部の少なくとも一部を全周に亘って覆うように配置され、前記グリップ側とは反対側の先端部に磁力を有する筒状の外側部材と、を備え、
前記軸部には、大径部と、その大径部よりも前記ねじ回し部側に位置して前記大径部よりも小径の小径部と、前記大径部と前記小径部とを連結し、前記大径部の径方向に広がる環状の段部とが含まれ、
前記外側部材には、内周側に前記径方向の内方に延在するフランジ部が設けられ、
一端部が前記段部に固定される一方、他端部が前記フランジ部の前記段部側の端面に固定され、前記小径部を取り囲むように配置されるばね部材を更に備える、ドライバ。
【請求項１２】
請求項８乃至１１のいずれか１つに記載のドライバにおいて、
前記外側部材の先端側に電磁石が配置され、
前記外側部材の前記グリップ側とは反対側の端面には、金属部が設けられ、
前記ねじ回し部がねじに接触したときに、前記ねじ回し部、前記ねじ、そのねじに接触しているワッシャ、前記金属部、前記電磁石、及び前記軸部を含んでいる環状の回路に電流を流す電力供給部を備える、ドライバ。
【発明の詳細な説明】
【技術分野】
【０００１】
本発明は、ドライバに着脱自在に装備可能なドライバ用装備具、及びドライバに関する。
【背景技術】
【０００２】
従来、ドライバとしては、特許文献１に記載されているものがある。このドライバは、先端側に磁石を有し、この磁石はドライバのねじ回し部で壁部等から外されたねじを吸引するようになっている。このようにして、ドライバで外されたねじが落下することを抑制し、ねじを捜索したり拾い上げる手間が生じないようにし、ねじが紛失しないようにしている。
【先行技術文献】
【特許文献】
【０００３】
【特許文献１】特開平０８‐０２５２４２号公報
【発明の概要】
【発明が解決しようとする課題】
【０００４】
分電盤や制御盤のメンテナンス作業にワッシャと組になっているねじに上記ドライバを使用する場合、上記ドライバでは磁力がワッシャに及ばないため、当該作業中にワッシャが落下することがある。このような場合、金属部品であるワッシャが分電盤や制御盤の回路を短絡しないようワッシャは必ず回収されなければならない。しかし、ワッシャが極小であると、ワッシャを探し出すのに多大な労力を要することがある。
【０００５】
そこで、本発明の目的は、作業中のワッシャの落下を抑制できるドライバ用装備具、及びドライバを提供することにある。
【課題を解決するための手段】
【０００６】
本発明に係るドライバ用装備具（以下、単に装備具という）は、グリップと、そのグリップから延在する軸部とを含み、前記軸部の先端側にねじを回すねじ回し部を有するドライバに装備されるドライバ用装備具であって、前記軸部に取り付けられる環状の内側部材と、前記内側部材の外周側を前記軸部に対してその軸方向に相対移動可能であり、前記グリップ側とは反対側の先端部に磁力を有する環状の外側部材と、を備える。
【０００７】
なお、上記「磁力を有する」という文言には、永久磁石により常時磁力が生成される場合は勿論、電磁石により使用時のみに磁力が生成される場合も含まれるものとする。
【０００８】
本発明によれば、内側部材をドライバの軸部に取り付けた状態で、外側部材を内側部材に対して前側（先端側）に相対移動させ、その後、ドライバのねじ回し部をねじ頭に接触させることで、磁力を有する外側部材の先端部を、ねじ回し部をねじ頭に接触させる動作と一体の動作でワッシャに接触させることができる。したがって、外側部材の先端部にワッシャを吸引でき、ドライバの作業中のワッシャの落下を抑制できる。
【０００９】
また、本発明において、前記外側部材を、前記内側部材に対して前記グリップ側とは反対側に付勢する付勢部材を備えてもよい。
【００１０】
上記構成によれば、付勢部材を圧縮させるように磁力を有する外側部材の先端部をワッシャに押圧した状態で、ねじ回し部でねじを回すことができ、ねじが壁部等から外れるにしたがって付勢部材が自然長の状態に徐々に近づくようにできる。したがって、磁力を有する外側部材の先端部を確実にワッシャに接触させることができ、付勢部材に蓄えられる位置エネルギーが小さい状態でワッシャを壁部から離すことができる。よって、磁力を有する外側部材の先端部でワッシャを確実に吸引でき、またワッシャを壁部から離す際に、付勢部材が大きく振動することがなく、ワッシャが磁石から外れにくい。
【００１１】
また、本発明において、前記外側部材は、前記内側部材の外周側を前記軸部に対してその軸方向に相対移動可能であり、前記グリップ側とは反対側の先端部に環状の磁石取付面を有する環状の磁石取付部と、前記磁石取付面の少なくとも一部に取り付けられた磁石と、を含んでもよい。
【００１２】
上記構成によれば、外側部材を簡単安価に構成できる。
【００１３】
また、本発明において、前記内側部材及び前記磁石取付部の夫々は、周方向に伸縮可能であってもよい。
【００１４】
上記構成によれば、内側部材及び磁石取付部の夫々が、周方向に伸縮可能であるので、内側部材及び磁石取付部の内径を変動させることができる。よって、装備具を軸部の外径が異なる広範なドライバに適用でき、装備具の汎用性が大きくなる。
【００１５】
また、本発明において、前記内側部材及び前記磁石取付部の夫々は、伸縮不可能な１以上の伸縮不可能部と、伸縮可能な１以上の伸縮部を含み、前記内側部材及び前記磁石取付部の夫々において、前記伸縮不可能部と、前記伸縮部は、前記周方向に交互に配置されてもよい。
【００１６】
上記構成によれば、内側部材及び磁石取付部の夫々が周方向に伸縮可能な構造を、容易に実現できる。
【００１７】
また、前記磁石取付部は、前記ドライバに取り付けられた際に前記ねじ回し部を視認可能にする透明部分を含んでもよい。
【００１８】
上記構成によれば、装備具がドライバに取り付けられた際にねじ回し部を視認できる。よって、ドライバのねじ回し部をそれに対応するねじの頭部のねじ溝に容易に嵌め込むことができる。なお、磁石取付部が全て透明であると、内側部材のドライバへの取付の自由度が大きくなって好ましい。
【００１９】
また、本発明において、前記内側部材において外部に露出する露出面の全てと、前記磁石取付部において外部に露出する露出面の全てが絶縁材料で構成されてもよい。
【００２０】
上記構成によれば、ドライバを分電盤や制御盤のメンテナンスに使用する場合等、ドライバを作業中に軸部が帯電する可能性がある作業に使用しても、ドライバとユーザとの間に電流が流れることを略防止できる。
【００２１】
また、本開示に係るドライバは、グリップと、そのグリップから延在する軸部とを含み、前記軸部の先端側にねじを回すねじ回し部を有するドライバ本体と、前記軸部に取り付けられた本発明のドライバ用装備具と、を備えてもよい。
【００２２】
上記構成によれば、作業中のワッシャの落下を抑制できる。
【００２３】
また、上記開示のドライバにおいて、前記軸部は、大径部と、その大径部よりも前記ねじ回し部側に位置して前記大径部よりも小径の小径部とを含み、前記ドライバ用装備具は、前記小径部に取り付けられてもよい。
【００２４】
上記構成によれば、ドライバの径方向の寸法をコンパクトにでき、狭い箇所での作業も容易になる。
【００２５】
また、本開示に係るドライバは、グリップと、そのグリップから延在する軸部とを含み、前記軸部の先端側にねじを回すねじ回し部を有するドライバ本体と、前記軸部に対してその軸部の軸方向に相対移動可能であり、前記ドライバ本体の前記軸方向のねじ回し部側の外方から見たときに、前記ねじ回し部を取り囲むように配置される環状の先端部を有する外側部材と、を備え、前記先端部の少なくとも一部が磁力を有してもよい。
【００２６】
上記構成によれば、作業中のワッシャの落下を抑制できる。
【００２７】
また、本開示に係るドライバは、グリップと、そのグリップから延在する軸部とを含み、前記軸部の先端側にねじを回すねじ回し部を有するドライバ本体と、前記軸部の外周側に前記軸部の少なくとも一部を全周に亘って覆うように配置され、前記グリップ側とは反対側の先端部に磁力を有する筒状の外側部材と、を備え、前記軸部には、大径部と、その大径部よりも前記ねじ回し部側に位置して前記大径部よりも小径の小径部と、前記大径部と前記小径部とを連結し、前記大径部の径方向に広がる環状の段部とが含まれ、前記外側部材には、内周側に前記径方向の内方に延在するフランジ部が設けられ、一端部が前記段部に固定される一方、他端部が前記フランジ部の前記段部側の端面に固定され、前記小径部を取り囲むように配置されるばね部材を更に備えてもよい。
【００２８】
上記構成によれば、環状の内側部材を省略でき、ワッシャの落下を抑制できるコンパクなドライバを、簡単安価に実現できる。
【００２９】
また、本開示のドライバにおいて、前記外側部材の先端側に電磁石が配置され、前記外側部材の前記グリップ側とは反対側の端面には、金属部が設けられ、前記ねじ回し部がねじに接触したときに、前記ねじ回し部、前記ねじ、そのねじに接触しているワッシャ、前記金属部、前記電磁石、及び前記軸部を含んでいる環状の回路に電流を流す電力供給部を備えてもよい。
【００３０】
上記構成によれば、作業を行うときだけ磁力が生成される。したがって、作業を行なっていないときに磁石が余計な金属物を吸引することがない。また、磁石が経時劣化しにくく、磁力が弱まりにくい。
【発明の効果】
【００３１】
本発明に係るドライバ用装備具及びドライバによれば、作業中のワッシャの落下を抑制できる。
【図面の簡単な説明】
【００３２】
【図１】本発明の一実施形態に係るドライバの模式斜視図である。
【図２】上記ドライバに含まれるドライバ用装備具のドライバ取付部及び磁石取付部のより詳細な斜視図である。
【図３】ドライバ取付部及び磁石取付部を、図２に矢印Ａで示す前側から見たときの正面図である。
【図４】図２のＢ-Ｂ線半断面図である。
【図５】上記ドライバをねじ及びワッシャに接近させている最中の模式図である。
【図６】上記ドライバのねじ回し部でねじを回している最中の模式図である。
【図７】上記ドライバでねじを外し終えた状態を示す模式図である。
【図８】変形例の装備具の一部の軸方向の模式断面図である。
【図９】変形例のドライバにおける先端側の軸方向の模式断面図である。
【発明を実施するための形態】
【００３３】
以下に、本発明に係る実施の形態について添付図面を参照しながら詳細に説明する。以下に説明する複数の実施形態及び複数の変形例に含まれる２以上の特徴部分を適宜に組み合わせて新たな実施形態を構築することは当初から想定されている。
【００３４】
図１は、本発明の一実施形態に係るドライバ１の模式斜視図である。図１に示すように、ドライバ１は、ドライバ本体１０と、ドライバ用装備具（以下、単に装備具という）３０を備える。ドライバ本体１０は、グリップ１１と、そのグリップ１１から延在する軸部１２を含む。軸部１２の先端側には、ねじを回すねじ回し部１２ａ（図５参照）が設けられる。
【００３５】
装備具３０は、ドライバ本体１０の軸部１２に着脱自在に装着される。詳しくは、装備具３０は、内側部材としての筒状のドライバ取付部３１と、外側部材３５とを備え、外側部材３５は、筒状の磁石取付部３２と、環状の円板形状を有する磁石３３とを含む。ドライバ取付部３１は、軸部１２の外周面に外嵌されて取り付けられる。また、磁石取付部３２は、ドライバ取付部３１に対してドライバ取付部３１の外周側を軸部１２の軸方向に相対移動可能になっている。係る相対移動可能な機構については、後で図４を用いて説明する。磁石取付部３２は、グリップ１１側とは反対側の先端部に環状の磁石取付面３２ａを有する。磁石３３は、永久磁石である。磁石３３は、磁石取付面３２ａに接着剤等の固定手段で取り付けられる。
【００３６】
図２は、装備具３０のドライバ取付部３１及び磁石取付部３２のより詳細な斜視図であり、図３は、ドライバ取付部３１及び磁石取付部３２を、図２に矢印Ａで示す前側から見たときの正面図である。また、図４は、図２のＢ-Ｂ線半断面図である。次に、図２〜図４を用いて、装備具３０のドライバ取付部３１及び磁石取付部３２の構造をより詳細に説明する。
【００３７】
図２に示すように、ドライバ取付部３１は、伸縮不可能な１以上の伸縮不可能部３１ａと、伸縮可能な１以上の伸縮部３１ｂを含み、伸縮不可能部３１ａと、伸縮部３１ｂは、筒状のドライバ取付部３１の周方向に交互に配置される。また、磁石取付部３２も、伸縮不可能な１以上の伸縮不可能部３２ｂと、伸縮可能な１以上の伸縮部３２ｃを含み、伸縮不可能部３２ｂと、伸縮部３２ｃは、筒状の磁石取付部３２の周方向に交互に配置される。伸縮不可能部３１ａ及び３２ｂの夫々は、例えばアクリル等の透明で伸縮不可能な樹脂で構成される。また、伸縮部３１ｂ,３２ｃの夫々は、伸縮性の材料で構成される。係る伸縮性の材料の例としては、伸縮性を有するポレウレタン製の繊維を束に統合してなるゴム材や、伸縮可能な透明のアクリル樹脂製の繊維を束に統合してなる樹脂材や、多数の伸縮性を有するポレウレタン製の繊維を互いに絡み合わせて構成させる素材や、多数の伸縮可能な透明のアクリル樹脂製の繊維を互いに絡み合わせて構成させる素材等がある。
【００３８】
図３に示すように、磁石取付部３２の内周面はドライバ取付部３１の外周面に当接する。再度、図２を参照して、ドライバ取付部３１の各伸縮部３１ｂが、矢印Ｃに示す方向に伸縮可能であるため、筒状のドライバ取付部３１の周長が変動可能になり、ドライバ取付部３１の内径が変動可能になる。また、磁石取付部３２の各伸縮部３２ｃが、矢印Ｄに示す方向に伸縮可能であるため、筒状の磁石取付部３２の周長が変動可能になり、磁石取付部３２の内径が変動可能になる。したがって、ドライバ取付部３１及び磁石取付部３２の内径が、ドライバ本体１０の軸部１２の外径に応じて変動可能になる。よって、装備具３０が、軸部１２の外径が異なるドライバ本体１０に適用可能になり、装備具３０の汎用性が向上する。
【００３９】
図４に示すように、ドライバ取付部３１の外周面には、断面略矩形の環状溝３１ｃが設けられる。磁石取付部３２の内周側には、矢印Ｅで示す軸方向の片側端部に環状のフランジ部３２ｄが設けられる。環状のフランジ部３２ｄは、磁石取付部３２の円筒内周面３２ｅから径方向の内方側に突出する。環状溝３１ｃの軸方向の長さは、環状のフランジ部３２ｄの軸方向の厚さよりも長く、環状のフランジ部３２ｄは、環状溝３１ｃに軸方向に移動可能に収容される。環状のフランジ部３２ｄは、例えば、冷やし嵌めや焼嵌めで環状溝３１ｃに嵌め込まれる。磁石取付部３２は、フランジ部３２ｄが環状溝３１ｃの軸方向の一方側（前側）の側面３１ｄに接触する突出位置でドライバ取付部３１から軸方向に最も突出する。また、磁石取付部３２は、フランジ部３２ｄが環状溝３１ｃの軸方向の他方側（後側）の側面３１ｅに接触する後退位置でドライバ取付部３１側に最も引き込まれる。係る構成により、磁石取付部３２は、ドライバ取付部３１に対して離脱不可能な状態で軸方向に相対移動可能になる。
【００４０】
次に、図５、図６及び図７を用いて、ドライバ１を用いたねじ４０及びワッシャ４１の取り外しについて説明する。図５は、ドライバ１をねじ４０及びワッシャ４１に接近させている最中の模式図であり、図６は、ドライバ１のねじ回し部１２ａでねじ４０を回している最中の模式図である。また、図７は、ドライバ１でねじ４０を外し終えた状態を示す模式図である。
【００４１】
図５を参照して、ドライバ１でねじ４０を外す際には、先ず、ユーザが磁石取付部３２をドライバ取付部３１に対して最も突出させた突出位置に引き出す。そして、環状の磁石３３の軸方向の端面をワッシャ４１の端面に接触させるようにドライバ１をねじ４０に軸方向に接近させる。
【００４２】
その後、磁石３３がワッシャ４１に接触しても、ドライバ１のねじ回し部１２ａがねじ４０の頭部のねじ溝に係合するまで、更にドライバ本体１０を壁部５０側に移動させる。この際、磁石取付部３２は、ドライバ本体１０の壁部５０側への前進に伴ってワッシャ４１から力を受けてドライバ取付部３１に対してグリップ１１側に後退する。
【００４３】
その後、ドライバ１を図６に矢印Ｆで示す反時計回りに回転させ、ねじ４０にねじ４０が外れる方向のトルクを付与する。磁石３３がワッシャ４１に接触したときにワッシャ４１は磁石３３の磁力で磁石３３に吸引されるため、図７に示すように、ねじ４０が壁部５０から外された際、ワッシャ４１は磁石３３に吸引された状態で壁部５０から引き離される。更には、ねじ４０は壁部５０から外された状態でもねじ４０の雄ねじがワッシャ４１の雌ねじに螺合しているので、ねじ４０も磁石取付部３２に囲まれた状態でドライバ１と共に移動する。
【００４４】
上記実施形態によれば、磁石取付部３２をドライバ取付部３１に対して前側に相対移動させた上でドライバ１のねじ回し部１２ａをねじ４０に接触させることで、装備具３０の先端側の磁石３３を、ねじ回し部１２ａをねじ４０に接触させる動作と一体の動作でワッシャ４１に接触させることができ、磁石３３でワッシャ４１を吸引できる。したがって、ドライバ１の作業中のワッシャ４１の落下を抑制できる。
【００４５】
また、上述のように、ドライバ取付部３１及び磁石取付部３２の夫々が、周方向に伸縮可能であるので、ドライバ取付部３１及び磁石取付部３２の内径を変動させることができる。よって、装備具３０を軸部１２の外径が異なる広範なドライバ１に適用でき、装備具３０の汎用性が大きくなる。
【００４６】
また、ドライバ取付部３１及び磁石取付部３２の夫々が、伸縮不可能な１以上の伸縮不可能部３１ａ,３２ｂと、伸縮可能な１以上の伸縮部３１ｂ,３２ｃを含み、伸縮不可能部３１ａ,３２ｂと、伸縮部３１ｂ,３２ｃが、周方向に交互に配置される。したがって、ドライバ取付部３１及び磁石取付部３２の夫々が周方向に伸縮可能な構造を、容易に実現できる。
【００４７】
また、伸縮不可能部３１ａ,３２ｂが透明樹脂で構成され、磁石取付部３２が、ドライバ本体１０に取り付けられた際にねじ回し部１２ａを視認できる透明部分を含む。したがって、装備具３０がドライバ本体１０に取り付けられた際にねじ回し部１２ａを視認でき、ドライバ１のねじ回し部１２ａをそれに対応するねじ４０の頭部のねじ溝に嵌め込み易くなる。なお、伸縮部３１ｂ,３２ｃの夫々を、伸縮可能な透明のアクリル樹脂製の繊維を用いて構成すると、磁石取付部３２が全て透明になる。よって、軸部１２に対するドライバ取付部３１の周方向の取付位置に関係なく外部からねじ回し部１２ａを視認し易くなり、ドライバ取付部３１のドライバ本体１０への取付の自由度が大きくなって好ましい。
【００４８】
更には、ドライバ取付部３１及び磁石取付部３２が樹脂材料で構成され、ドライバ取付部３１において外部に露出する露出面の全てと、磁石取付部３２において外部に露出する露出面の全てが絶縁材料で構成される。したがって、ドライバ１を分電盤や制御盤のメンテナンスに使用する場合等、ドライバ１を作業中に軸部１２が帯電する可能性がある作業に使用しても、ドライバ１とユーザとの間に電流が流れることを略防止できる。
【００４９】
尚、本発明は、上記実施形態およびその変形例に限定されるものではなく、本願の特許請求の範囲に記載された事項およびその均等な範囲において種々の改良や変更が可能である。
【００５０】
例えば、上記実施形態では、ドライバ取付部３１及び磁石取付部３２の夫々が、伸縮不可能部３１ａ,３２ｂと、伸縮部３１ｂ,３２ｃを含んで、ドライバ取付部３１及び磁石取付部３２の夫々が、周方向に伸縮可能である場合について説明した。しかし、ドライバ取付部及び磁石取付部の夫々が一体で筒状の弾性部材（例えば、ゴム部材）であり、ドライバ取付部及び磁石取付部の夫々が、周方向に伸縮可能であってもよい。又は、ドライバ取付部及び磁石取付部の夫々は、筒状であって周方向に伸縮不可能な硬い部材でもよい。
【００５１】
また、磁石取付部３２が、ドライバ本体１０に取り付けられた際にねじ回し部１２ａを視認できる透明部分を含む場合について説明したが、磁石取付部３２は、透明部分を含まなくてもよい。
【００５２】
また、ドライバ取付部３１において外部に露出する露出面の全てと、磁石取付部３２において外部に露出する露出面の全てが絶縁材料で構成される場合について説明した。しかし、ドライバ取付部において外部に露出する露出面の一部が導電性の材料で構成されてもよく、当該露出面の全てが導電性の材料で構成されてもよい。また、磁石取付部において外部に露出する露出面の一部が導電性の材料で構成されてもよく、磁石取付部の当該露出面の全てが導電性の材料で構成されてもよい。
【００５３】
また、磁石取付部３２を、ドライバ取付部３１に対してグリップ１１側とは反対側に付勢する付勢部材が存在しない場合について説明した。しかし、磁石取付部は、付勢手段でドライバ取付部に対してグリップ側とは反対側に付勢されてもよい。
【００５４】
詳しくは、図８、すなわち、変形例の装備具１３０の一部の軸方向の模式断面図に示すように、筒状のドライバ取付部１３１は、筒状の磁石取付部１３２の円筒内周面におけるグリップ側とは反対側の端部に摺動する円筒外周面１３１ａを含む環状のフランジ部１３１ｂを径方向の外方側に有してもよい。また、筒状の磁石取付部１３２は、ドライバ取付部１３１の円筒外周面に摺動する円筒内周面１３２ａを含む環状のフランジ部１３２ｂを径方向の内方側に有してもよく、フランジ部１３２ｂは、フランジ部１３１ｂよりも軸方向のグリップ側に配置されてもよい。そして、装備具１３０が、一端部がフランジ部１３１ｂのフランジ部１３２ｂ側の端面に固定されると共に他端部がフランジ部１３２ｂのフランジ部１３１ｂ側の端面に固定されるコイルバネ１３４を備えてもよい。
【００５５】
この変形例によれば、付勢部材の一例としてのコイルバネ１３４を圧縮させてワッシャに磁石１３３を押圧した状態でねじ回し部でねじを回すことができ、ねじが壁部等から外れるにしたがってコイルバネ１３４が自然長の状態に徐々に近づくようにできる。したがって、磁石１３３を確実にワッシャに接触させることができ、コイルバネ１３４に蓄えられる位置エネルギーが小さい状態でワッシャを壁部から離すことができる。よって、ワッシャを磁石１３３で確実に吸引でき、またワッシャを壁部から離す際に、コイルバネ１３４が大きく振動することがなく、ワッシャが磁石１３３から外れにくい。
【００５６】
なお、図８に示す変形例でも、ドライバ取付部１３１が内側部材を構成し、磁石取付部１３２及び磁石１３３が外側部材を構成することは言うまでもない。また、図８に示す変形例では、ドライバ取付部１３１は、金属製の筒状の本体部１６０、本体部１６０の円筒外周面及びグリップ側の端面を被覆する絶縁被膜１６１、及び本体部１６０の円筒内周面に固定された筒状でゴム製の軸取付部１６２を有する。また、磁石取付部１３２は、金属製の筒状の本体部１７０、及び本体部１７０の円筒外周面及びグリップ側の端面を被覆する絶縁被膜１７１を有する。このようにして、装備具１３０において外部に露出する全ての面を絶縁コーティングして、ユーザを感電から守っている。また、ドライバ取付部１３１の径方向内方の部分を、径方向に伸縮可能なゴム材で構成することによって、装備具１３０が異なる外径の軸部に取り付け可能にして、装備具１３０の汎用性を向上させている。なお、図８に示す例では、コイルバネ１３４で、磁石取付部１３２をドライバ取付部１３１に対して軸方向に変位させた。しかし、例えば、電動シリンダ等で、磁石取付部をドライバ取付部に対して軸方向に変位させてもよい。
【００５７】
また、ドライバ１が、ドライバ本体１０と、ドライバ本体１０に着脱可能な装備具３０,１３０とを含む場合について説明した。しかし、ドライバは、着脱部を有さない一体型のドライバであってもよく、そのような場合、内側部材としてのドライバ取付部は存在しなくてもよい、
【００５８】
詳しくは、図９、すなわち、変形例のドライバ２０１における先端側の軸方向の模式断面図に示すように、ドライバ２０１は、グリップと、グリップから延在する軸部２１２とを含み、軸部２１２の先端側にねじを回すねじ回し部２１２ａを有するドライバ本体２１０を備えてもよい。また、ドライバ２０１は、軸部２１２の外周側に軸部２１２の少なくとも一部を覆うように配置され、グリップ側とは反対側の先端部に環状の磁石取付面２３２ａを有する筒状の磁石取付部２３２と、磁石取付面２３２ａの少なくとも一部に取り付けられた磁石２３３と、を備えてもよい。ここで、磁石取付部２３２と、磁石２３３とは、外側部材を構成する。また、軸部２１２には、大径部２１２ｂと、その大径部２１２ｂよりもねじ回し部２１２ａ側に位置して大径部２１２ｂよりも小径の小径部２１２ｃと、大径部２１２ｂと小径部２１２ｃとを連結し、大径部２１２ｂの径方向に広がる環状の段部２１２ｄを含んでもよい。また、磁石取付部２３２には、内周側に径方向の内方に延在する環状のフランジ部２３２ｂが設けられてもよい。そして、ドライバ２０１には、一端部が段部２１２ｄに固定される一方、他端部がフランジ部２３２ｂの段部２１２ｄ側の端面に固定され、小径部２１２ｃを取り囲むように配置されるコイルバネ２３４が含まれてもよい。この変形例によれば、内側部材としての環状のドライバ取付部を省略でき、ワッシャの落下を抑制できるコンパクなドライバ２０１を、簡単安価に実現できる。
【００５９】
また、他の変形例のドライバでは、ドライバ本体の軸部は、大径部と、その大径部よりもねじ回し部側に位置して大径部よりも小径の小径部とを含んでもよい。そして、本発明の装備具が、当該小径部に取り付けられてもよい。この場合は、内側部材としてのドライバ取付部が存在するため、図９に示す場合との比較において径方向の寸法を小さくしにくい。しかし、この場合でも、ドライバの径方向の寸法をコンパクトにでき、狭い箇所での作業を行い易くなる。
【００６０】
また、磁石３３,１３３,２３３が、環状の円板形状である場合について説明したが、複数の磁石を、環状の磁石取付面の周方向に間隔をおいて磁石取付面に取り付けてもよく、又は１つのみの非環状の磁石を、環状の磁石取付面の一部に取り付けてもよい。また、磁石３３,１３３,２３３が永久磁石である場合について説明したが、磁石は、電磁石であってもよい。詳しくは、磁石取付部のグリップ側とは反対側の端面に、金属部を設けてもよい。そして、ねじ回し部がねじに接触したときに、ねじ回し部、ねじ、そのねじに接触しているワッシャ、上記金属部、電磁石、及び軸部を含んでいる環状の回路に電流を流す電力供給部を備えてもよい。この電力供給部は、例えば電磁石と軸部との間に電気的に接続される電池で構成されてもよい。この構成によれば、作業を行うときだけ磁力が生成される。したがって、作業を行なっていないときに磁石が余計な金属物を吸引することがない。また、磁石が経時劣化しにくく、磁力が弱まりにくくなる。
【００６１】
また、外側部材が、筒状の磁石取付部と、その磁石取付部の先端側の環状の磁石取付面の少なくとも一部に取り付けられた磁石と、を含む場合について説明した。しかし、外側部材は筒状の磁石であってもよく、外側部材の全てが磁石であってもよい。外側部材は、グリップ側とは反対側の先端部に磁力を有する構成であれば如何なる構成でもよい。
【００６２】
なお、本発明の一実施形態に係るドライバでは、グリップと、そのグリップから延在する軸部とを含み、軸部の先端側にねじを回すねじ回し部を有するドライバ本体と、軸部に対してその軸部の軸方向に相対移動可能であり、ドライバ本体の軸方向のねじ回し部側の外方から見たときに、ねじ回し部を取り囲むように配置される環状の先端部を有する外側部材と、を備え、先端部の少なくとも一部が磁力を有していればよい。
【００６３】
また、装備具において、内側部材としてのドライバ取付部や、磁石取付部は、環状であればよく、筒状である必要はない。また、本発明のドライバに含まれるねじ回し部は、プラス形状、マイナス形状、又はそれ以外の形状でもよいことは言うまでもない。本発明のドライバに含まれるねじ回し部は、ねじ頭に設けられたねじ溝に挿入できる形状であれば如何なる形状でもよい。
【符号の説明】
【００６４】
１,２０１  ドライバ、  １０,２１０  ドライバ本体、  １１  グリップ、  １２,２１２  軸部、  １２ａ,２１２ａ  ねじ回し部、  ３０,１３０  装備具  ３１,１３１  ドライバ取付部、  ３１ａ  ドライバ取付部の伸縮不可能部、  ３１ｂ  ドライバ取付部の伸縮部、  ３２,１３２,２３２  磁石取付部、  ３２ａ,２３２ａ  磁石取付面、  ３２ｂ  磁石取付部の伸縮不可能部、  ３２ｃ  磁石取付部の伸縮部、  ３３,１３３,２３３  磁石、  ３５  外側部材、  ４０  ねじ、  ４１  ワッシャ、  １３４,２３４  コイルバネ、  ２１２ｂ  大径部、  ２１２ｃ  小径部。
【図１】
2018149623.tif 000003
【図２】
2018149623.tif 000004
【図３】
2018149623.tif 000005
【図４】
2018149623.tif 000006
【図５】
2018149623.tif 000007
【図６】
2018149623.tif 000008
【図７】
2018149623.tif 000009
【図８】
2018149623.tif 000010
【図９】
2018149623.tif 000011